(57)【要約】【課題】従来の空気清浄機では、ベッド１の足側の吸い込み部からベッド１の頭側の吹き出し部までの長い距離をダクト部で接続する必要があるため設置が困難であるという課題を有していた。【解決手段】ベッド８の頭側に配置され送風ファン部１３Ａとフィルタ部１４Ａと前記ベッド８上に向けて配置された頭側吹き出し部１６と風向変更部１８Ａと頭側吸い込み部１７と連携部１５を有する頭側送風装置９と、前記ベッド８の足側に配置され送風ファン部１３Ｂと足側吹き出し部２０と前記頭側吹き出し部１６に向けて配置された足側吸い込み部２１と風向変更部１８Ｂと連携部１５Ｂを有する足側送風装置１０を備え、前記頭側送風装置９と前記足側送風装置１０は連携動作し前記頭側吹き出し部９から前記ベッド８上を流れて前記足側吸い込み部２１へと流れる清浄化気流２２を形成する構成とした空気清浄機。【選択図】図１
2011226655.tif 000002
【特許請求の範囲】
【請求項１】
ベッドの頭側に配置され送風ファン部とフィルタ部と前記ベッド上に向けて配置された頭側吹き出し部と風向変更部と頭側吸い込み部と連携部を有する頭側送風装置と、前記ベッドの足側に配置され送風ファン部と足側吹き出し部と前記頭側吹き出し部に向けて配置された足側吸い込み部と風向変更部と連携部を有する足側送風装置を備え、前記頭側送風装置と前記足側送風装置は連携動作し前記頭側吹き出し部から前記ベッド上を流れて前記足側吸い込み部へと流れる清浄化気流を形成する構成とした空気清浄機。
【請求項２】
足側送風装置は、フィルタ部を有する構成とした請求項１に記載の空気清浄機。
【請求項３】
頭側吸い込み部は、足側吹き出し部から出される排気風の下流域に設けられた請求項１に記載の空気清浄機。
【請求項４】
足側吹き出し部は、ベッドの下に配置され排気風をベッドの下に吹き出す構成とした請求項３に記載の空気清浄機。
【請求項５】
足側送風装置は、頭側送風装置が吹き出す清浄化気流よりも大きな風量を吸引する構成とした請求項１に記載の空気清浄装置。
【請求項６】
足側送風装置は、頭側送風装置が吹き出す清浄化気流と清浄化気流が足側送風装置に到達する間に巻き込むことで足側送風装置へと流れる周囲の空気をあわせた流量で吸引する構成とした請求項４に記載の空気清浄装置。
【請求項７】
頭側送風装置は、足側送風装置が吸引するよりも大きな風量の清浄化気流を吹き出す構成とした請求項１に記載の空気清浄装置。
【発明の詳細な説明】
【技術分野】
【０００１】
本発明は、気流を発生させ室内の局所的な空間を清浄化する空気清浄機に関するものである。
【背景技術】
【０００２】
従来、この種の空気清浄機としては、ベッドの頭側に設けられた吹き出し部からベッド上に清浄化気流を発生させ、ベッド上を清浄にしているものがあった。（例えば特許文献１参照）。
【０００３】
図５は、特許文献１に記載された従来の空気清浄機の側面図を示すものである。
【０００４】
図５において、空気清浄機はベッド１と一体に設けられ、ベッド１の下方には送風ファン部２とフィルタ部３が配置されている。ベッド１の頭側にはベッド１の足側に向けて清浄化気流４を発生させる吹き出し部５が設けられており、ベッド１の足側の下方には吸い込み部６が設けられている。吸い込み部６とフィルタ部３と送風ファン部２と吹き出し部５はダクト部７で連結されている。
【先行技術文献】
【特許文献】
【０００５】
【特許文献１】特開２０００−１７１０６７号公報
【発明の概要】
【発明が解決しようとする課題】
【０００６】
しかしながら、従来の空気清浄機では、ベッド１の足側の吸い込み部６からベッド１の頭側の吹き出し部５までの長い距離をダクト部７で接続する必要があるため設置が困難であるという課題を有していた。また頭側と足側に別々の送風装置を配置する構成とすると、頭側の送風装置と足側の送風装置の風向や風量はそれぞれ個別に設定されるため、例えば頭側の吹き出し部５の風向変更部によって決まる清浄化気流が自然と到達する下流域に対して足側の吸い込み部６の風向変更部がその方向を向いておらず清浄化気流が足側の吸い込み部６で吸引されない場合があった。また頭側吹き出し部５と足側吸い込み部６の流量のバランスが崩れ意図とは異なる流れが形成され、例えばベッド周囲で発生した塵埃や菌、アレルゲン、ウィルス等の汚染物質がベッド上に運ばれてしまったり、また逆にベッド上で発生した汚染物質が周囲に吹き飛ばされたりする場合があるという課題を有していた。
【０００７】
本発明は、上記従来の課題を解決するもので、容易に設置が可能で、確実に清浄化気流を発生させることが出来る空気清浄機の提供を目的とする。
【課題を解決するための手段】
【０００８】
前記従来の課題を解決するために、本発明の空気清浄機では、ベッドの頭側に配置される頭側送風装置とベッドの足側に設置される足側送風装置によって構成し、これらを連係動作させ頭側吹き出し部からベッド上を流れて足側吸い込み部へと流れる清浄化気流を形成する構成としたものである。
【０００９】
頭側送風装置と足側送風装置の構成とすることで、ベッドの足側からベッドの頭側までの長い距離をダクト部で接続する必要がない。同時に頭側送風装置と足側送風装置を連係動作させることで、頭側吹き出し部の風向変更部によって変化する清浄化気流が自然と到
達する下流域に対して足側吸い込み部の風向変更部が向き、頭側吹き出し部からベッド上を流れて足側吸い込み部へと流れる清浄化気流が確実に形成される。また頭側送風装置と足側送風装置の流量のバランスを確実に調整できるため、意図に応じて例えばベッド周囲を清浄に保つことを優先するようにしたり、また例えばベッド上を清浄化することを優先させたりするよう設定することが可能となる。
【発明の効果】
【００１０】
本発明の空気清浄機は、容易に設置が可能で、意図に応じて清浄化気流を変化させることができるためベッド上を清浄化できる。
【図面の簡単な説明】
【００１１】
【図１】本発明の実施の形態１における空気清浄機の側断面図
【図２】同、風向変更時の空気清浄機の側断面図
【図３】本発明の実施の形態２における空気清浄機の側断面図
【図４】同、設定変更時の空気清浄機の側断面図
【図５】従来の空気清浄機の側断面図
【発明を実施するための形態】
【００１２】
第１の発明は、ベッドの頭側に配置され送風ファン部とフィルタ部と前記ベッド上に向けて配置された頭側吹き出し部と風向変更部と頭側吸い込み部と連携部を有する頭側送風装置と、前記ベッドの足側に配置され送風ファン部と足側吹き出し部と前記頭側吹き出し部に向けて配置された足側吸い込み部と風向変更部と連携部を有する足側送風装置を備え、前記頭側送風装置と前記足側送風装置は連携動作し前記頭側吹き出し部から前記ベッド上を流れて前記足側吸い込み部へと流れる清浄化気流を形成する構成とすることにより、ベッド１の足側からベッド１の頭側までの長い距離をダクト部で接続する必要がない。同時に頭側送風装置と足側送風装置を連係動作させることで、頭側吹き出し部の風向変更部によって変化する清浄化気流が自然と到達する下流域に対して足側吸い込み部の風向変更部が向き、頭側吹き出し部からベッド上を流れて足側吸い込み部へと流れる清浄化気流が確実に形成される。また頭側送風装置と足側送風装置の流量のバランスを確実に調整できるため、意図に応じて例えばベッド周囲を清浄に保つことを優先するようにしたり、また例えばベッド上を清浄化することを優先させたりするよう設定することが可能となる。
【００１３】
第２の発明は、特に第１の発明の足側送風装置を、フィルタ部を有する構成とすることにより、ベッド上で発生した塵埃や菌、アレルゲン、ウィルス等の汚染物質で清浄化気流によってベッド上から流され足側吸い込み部から回収された汚染物質が周囲に吹き出されることが無いため周囲も清潔に保つことができる。
【００１４】
第３の発明は、特に第１の発明の頭側吸い込み部を、足側吹き出し部から出される排気風の下流域に設けることにより、排気風に足側吹き出し部から吹き出される力に加えて頭側吸い込み部で吸い込む力が加わり排気風は足側吹き出し部から頭側吸い込み部へ確実に流れるようになる。その排気風は頭側吹き出し部から清浄化気流として吹き出され、足側吸い込み部で吸引された後再び排気風となるという循環を繰り返す。このため周囲に排気風を出さずにベッド上を清浄化することができる。
【００１５】
第４の発明は、特に第３の発明の足側吹き出し部を、ベッドの下に配置され排気風をベッドの下に吹き出す構成とすることにより、ベッドが仕切りになることで足側吹き出し部から出た排気風が足側吸い込み部へと流れることが無くなり、より確実に頭側吹き出し部からベッド上を流れて足側吸い込み部へと流れる清浄化気流が形成される。
【００１６】
第５の発明は、特に第１の発明の足側送風装置を、頭側送風装置が吹き出す清浄化気流
よりも大きな風量を吸引する構成とすることにより、ベッド上で発生した塵埃や菌、アレルゲン、ウィルス等の汚染物質で清浄化気流に乗らなかったものや、清浄化気流の乱れなどにより清浄化気流から外れてしまった汚染物質も回収できるようになり、ベッド上をより確実に清浄化することができる。
【００１７】
第６の発明は、特に第１の発明の足側送風装置を、頭側送風装置が吹き出す清浄化気流と清浄化気流が足側送風装置に到達する間に巻き込むことで足側送風装置へと流れる周囲の空気をあわせた流量で吸引する構成とすることにより、足側吸い込み部では足側吸い込み部に向かってくる空気全体を回収することになるため、清浄化気流だけでなく清浄化気流によって二次的に発生した気流も周囲に広がらず、流れに乗ってきた汚染物質をすべて回収できる。
【００１８】
第７の発明は、特に第１の発明の頭側送風装置を、足側送風装置が吸引するよりも大きな風量の清浄化気流を吹き出す構成とすることにより、ベッド上により多くの清浄化した空気を送ることになるため確実にベッド上を清浄化することができる。また、清浄化気流が足側吸い込み部の開口部にあわせて流れを変える際に清浄化気流から外れた汚染物質の一部もベッド周囲へと吹き飛ばされるためベッド上には残らず、ベッド上を清浄化することができる。
【００１９】
以下、本発明の実施の形態について、図面を参照しながら説明する。なお、本実施の形態によって本発明が限定されるものではない。
【００２０】
（実施の形態１）
図１は、本発明の実施の形態１における空気清浄機の側断面図を示すものである。
【００２１】
図１において、ベッド８には空気清浄機が取り付けられている。ベッド８の頭側に頭側送風装置９が配置され、ベッド８の足側に足側送風装置１０が配置されている。ベッド８の上には就寝者１１がおり、ベッド８上には塵埃や菌、アレルゲン、ウィルス等の汚染物質１２が存在している。
【００２２】
頭側送風装置９の内部には送風ファン部１３Ａとフィルタ部１４Ａが内蔵されており、連携部１５として無線連携部１５Ａを有している。また頭側送風装置９には頭側吹き出し部１６と頭側吸い込み部１７が設けられており、頭側吹き出し部１６は風向変更部１８Ａを有している。頭側吸い込み部１７はベッド８の下に向けて構成されており、頭側吹き出し部１６はベッド８の上に向けて配置されている。また頭側送風装置９には操作部１９が設けられている。
【００２３】
足側送風装置１０の内部には送風ファン部１３Ｂとフィルタ部１４Ｂが内蔵されており、連携部１５として無線連携部１５Ｂを有している。また足側送風装置１０には足側吹き出し部２０と足側吸い込み部２１が設けられており、足側吸い込み部２１は風向変更部１８Ｂを有している。足側吸い込み部２１はベッド８の上に向けて構成されており、足側吹き出し部２０はベッド８の下に向けて配置されている。
【００２４】
頭側吹き出し部１６と足側吸い込み部２１はベッド８の上で向き合っており、頭側吸い込み部１７と足側吹き出し部２０はベッド８の下で向き合っている。また頭側吹き出し部１６に設置された風向変更部１８Ａはベッド８の上面に気流を吹き付けるよう下向きになっており、足側吸い込み部２１に設置された風向変更部１８Ｂはベッド８の上面に近い空間から気流を吸引するよう下向きになっている。
【００２５】
頭側吹き出し部１６からは清浄化気流２２が吹き出されている。清浄化気流２２はベッ
ド８の頭側から足側に向けてベッド８の上面及び就寝者１１の上を沿って流れる。気流が面に沿って流れるコアンダ効果によって清浄化気流２２はベッド８の上面に沿って流れやすく広がりにくいため少ない風量でも清浄化気流２２は頭側から足側まで到達できる。そのため送風ファン部１３Ａと送風ファン部１３Ｂは少ない風量を流すよう動作が設定されている。清浄化気流２２はベッド８の上面にぶつかってからベッド８の上面に沿って流れた後、自然とベッド８の上面の足側に近い空間へと流れ、この領域が清浄化気流２２の自然と到達する下流域２３Ａとなる。足側吸い込み部２１の風向変更部１８Ｂはこの下流域２３Ａに向いており、清浄化気流２２は足側吸い込み部２１へと吸引される。
【００２６】
また足側吹き出し部２０から排気風２４が吹き出されている。排気風２４はベッド８の下を足側から頭側に向かって流れ、ベッド８下の頭側の空間が排気風２４の下流域２３Ｂとなる。この下流域２３Ｂの位置に頭側吸い込み部１７が設けられているため排気風２４は頭側吸い込み部１７へと吸引される。
【００２７】
足側吹き出し部２０はベッド８の下に設けられ、排気風２４はベッド８の下を流れるためベッド８自体が仕切りとなり、排気風２４が足側吸い込み部２１へと吸引されることは無い。
【００２８】
また操作部１９によって頭側送風装置９の送風ファン部１３Ａの動作状態や風向変更部１８Ａの動作を変更できる構成となっている。同時に頭側送風装置９の無線連携部１５Ａと足側送風装置１０の無線連携部１５Ｂは通信しており、頭側送風装置９の送風ファン１４Ａの動作状態や風向変更部１８Ａの動作状態が足側送風装置１０の無線連携部１５Ｂへと伝えられている。無線連携部１５Ｂは取得した情報を元に送風ファン１４Ｂや風向変更部１８Ｂの動作を変化させる構成となっており、結果として操作部１９の操作で頭側送風装置９と足側送風装置１０の両方が操作される。
【００２９】
図２は、本発明の実施の形態１における風向変更時の空気清浄機の側断面図を示すものである。
【００３０】
図２において、就寝者１１はベッド８上で座った状態になっている。
【００３１】
頭側吹き出し部１６の風向変更部１８Ａは就寝者１１自身や第三者によって、就寝者１１の顔の位置へと向けられ、上向きになっている。また就寝者１１が起き上がることで頭側吹き出し部１６から距離が離れた分、送風ファン部１３Ａを強く動かし清浄化気流２２の風量を大きくしている。
【００３２】
この動作状態は無線連携部１５Ａから無線連携部１５Ｂに伝えられ、足側送風装置１０では足側吸い込み部２１の風向変更部１８Ｂが清浄化気流２２の下流域２３Ａに向けて上向きになっている。また送風ファン部１３Ｂも送風ファン部１３Ａと同じ風量を流すよう就寝者１１が横になっていた場合よりも強く動作するよう設定されている。
【００３３】
これらにより清浄化気流はベッド８の上方の空間に形成され座った状態の就寝者１１の顔付近を流れる気流となっている。
【００３４】
以上のように構成された空気清浄機について、以下その動作、作用を説明する。
【００３５】
まず就寝者１１や第三者によって操作部１９が操作されると空気清浄機が起動する。就寝者１１の状態に合わせた清浄化気流２２を形成するように空気清浄機は操作され、例えば就寝者１１が横たわった状態の場合はベッド８の上面に沿った清浄化気流２２を形成し、また例えば就寝者１１が座った状態の場合は顔の位置するベッド８上方の空間に清浄化
気流２２を形成するよう設定される。
【００３６】
これら操作部１９での操作に基づいてまず頭側送風装置９が起動する。送風ファン部１３Ａと風向変更部１８Ａが動作し、操作部１９によって設定された清浄化気流２２を形成するよう送風ファン１３Ａ及び風向変更部１８Ａの動作が変更される。
【００３７】
続いて、無線連携部１５Ａから足側送風装置１０の無線連携部１５Ｂへと送風ファン部１３Ａと風向変更部１８Ａの動作状態が伝えられる。無線連携部１５Ｂは入手した送風ファン部１３Ａと風向変更部１８Ａの動作状態に基づいて送風ファン部１３Ｂと風向変更部１８Ｂの動作状態を変更させる。
【００３８】
これらの動作においては、形成しようとする清浄化気流２２に対する送風ファン部１３Ａ及び風向変更部１８Ａの動作状態の設定はあらかじめ決められており、送風ファン部１３Ａ及び風向変更部１８Ａの動作状態の設定に対する送風ファン部１３Ｂ及び風向変更部１８Ｂの動作状態の設定もあらかじめ決められており、操作部１９への入力によってすべての動作状態は一意に決定される。
【００３９】
例えばベッド８の上面に沿った清浄化気流２２を形成する場合は、送風ファン部１３Ａと送風ファン部１３Ｂは少ない風量を互いに同じだけ流すよう動作が設定され、風向変更部１８Ａと風向変更部１８Ｂは下に向けられる。
【００４０】
また例えばベッド８の上方の清浄化気流２２を形成する場合は、送風ファン部１３Ａと送風ファン部１３Ｂは大きい風量を互いに同じだけ流すよう動作が設定され、風向変更部１８Ａと風向変更部１８Ｂは上に向けられる。
【００４１】
頭側送風装置９では送風ファン部１３Ａが動作したことにより、頭側吸い込み部１７から頭側送風装置９の内部へと空気が吸引され、フィルタ部１４Ａで清浄化された後に頭側吹き出し部１６から清浄化気流２２として吹き出される。
【００４２】
清浄化気流２２は操作部１９への操作に基づいて設定された、送風ファン部１３Ａと送風ファン部１３Ｂ及び風向変更部１８Ａと風向変更部１８Ｂにより流れが形成される。
【００４３】
清浄化気流２２が就寝者１１に到達することで、就寝者１１は清浄化気流２２によって届けられた清浄な空気を吸引するため快適であると同時に汚染物質１２に害される危険がない。また清浄化気流２２は汚染物質１７を流れに乗せて足側吸い込み部２１へと搬送していく。清浄化気流２２はベッド８の上を頭側から足側まで流れるため、ベッド８上に存在する汚染物質１２が清浄化気流２２によって除去される。
【００４４】
送風ファン１３Ａと送風ファン１３Ｂが同じ風量であるため足側吸い込み部２１に到達した清浄化気流２２は全て足側吸い込み部２１に吸引され、清浄化気流２２によって搬送されてきた汚染物質２２が周囲に吹き飛ばされることがなく、周囲の空間も清浄に保つことが出来る。
【００４５】
足側吸い込み部２１から足側送風装置１０の内部へと吸引された清浄化気流２２はフィルタ部１４Ｂで汚染物質１２を除去された後、足側吹き出し部２０から排気風２４として吹き出される。
【００４６】
足側吹き出し部２０から出される排気風２４に対して、頭側吸い込み部１７はその下流域２３Ｂに元々位置しているため、排気風２４はベッド８の下を真っ直ぐに流れ頭側吸い込み部１７に吸引される。
【００４７】
頭側吸い込み部１７から頭側送風装置９の内部へと吸引された排気風２４は、フィルタ部１４Ａで清浄化された後に頭側吹き出し部１６から清浄化気流２２として吹き出される。この清浄化気流２２が排気風２４となり再び清浄化気流２２になるという循環が繰り返される。
【００４８】
なお、本実施の形態において清浄化気流２２は、操作部１９を就寝者１１や第三者が操作することで設定する構成となっていたが就寝者１１の状態を検知し自動的に設定を行う構成としてもかまわない。
【００４９】
なお、本実施の形態において連携部１５は、無線によって通信を行う構成としたが有線によって通信を行う構成としてもかまわない。
【００５０】
（実施の形態２）
図３は、本発明の実施の形態２における空気清浄機の側断面図を示すものである。
【００５１】
図３において、ベッド８には空気清浄機が取り付けられている。ベッド８の頭側に頭側送風装置９が配置され、ベッド８の足側に足側送風装置１０が配置されている。ベッド８の上には就寝者１１がおり、ベッド８上には塵埃や菌、アレルゲン、ウィルス等の汚染物質１２が存在している。
【００５２】
頭側送風装置９の内部には送風ファン部１３Ａとフィルタ部１４Ａが内蔵されており、連携部１５として無線連携部１５Ａを有している。また頭側送風装置９には頭側吹き出し部１６と頭側吸い込み部１７が設けられており、頭側吹き出し部１６は風向変更部１８Ａを有している。頭側吸い込み部１７はベッド８の周囲に向けて構成されており、頭側吹き出し部１６はベッド８の上に向けて配置されている。また頭側送風装置９には操作部１９が設けられている。
【００５３】
足側送風装置１０の内部には送風ファン部１３Ｂとフィルタ部１４Ｂが内蔵されており、連携部１５として無線連携部１５Ｂを有している。また足側送風装置１０には足側吹き出し部２０と足側吸い込み部２１が設けられており、足側吸い込み部２１は風向変更部１８Ｂを有している。足側吸い込み部２１はベッド８の上に向けて構成されており、足側吹き出し部２０はベッド８の周囲に向けて配置されている。
【００５４】
頭側吹き出し部１６と足側吸い込み部２１はベッド８の上で向き合っている。また頭側吹き出し部１６に設置された風向変更部１８Ａはベッド８の上面に気流を吹き付けるよう下向きになっており、足側吸い込み部２１に設置された風向変更部１８Ｂはベッド８の上面に近い空間から気流を吸引するよう下向きになっている。
【００５５】
頭側吹き出し部１６からは清浄化気流２２が吹き出されている。清浄化気流２２はベッド８の頭側から足側に向けてベッド８の上面及び就寝者１１の上を沿って流れる。気流が面に沿って流れるコアンダ効果によって清浄化気流２２はベッド８の上面に沿って流れやすく広がりにくいため少ない風量でも清浄化気流２２は頭側から足側まで到達できる。そのため送風ファン部１３Ａと送風ファン部１３Ｂは少ない風量を流すよう動作が設定されている。清浄化気流２２はベッド８の上面にぶつかってからベッド８の上面に沿って流れた後、自然とベッド８の上面の足側に近い空間へと流れ、この領域が清浄化気流２２の自然と到達する下流域２３Ａとなる。足側吸い込み部２１の風向変更部１８Ｂはこの下流域２３Ａに向いており、清浄化気流２２は足側吸い込み部２１へと吸引される。
【００５６】
また清浄化気流２２は足側送風装置１０へ向かって流れる過程で周囲の空気を巻き込み
足側送風装置１０へと移動させる。送風ファン部１３Ｂでは、清浄化気流２２と清浄化気流２２に巻き込まれ足側送風装置１０へと流れる周囲の空気をあわせた流量で吸引を行っており、足側吸い込み部２１へ向かう空気全体が足側吸い込み部２１で回収されている。
【００５７】
そのため、ベッド８上で発生した汚染物質１２で清浄化気流２２に乗らなかったものや、清浄化気流の乱れなどにより清浄化気流２２から外れてしまった汚染物質１２も全て足側吸い込み部２１で回収される。
【００５８】
また操作部１９によって頭側送風装置９の送風ファン部１３Ａの動作状態や風向変更部１８Ａの動作を変更できる構成となっている。同時に頭側送風装置９の無線連携部１５Ａと足側送風装置１０の無線連携部１５Ｂは通信しており、頭側送風装置９の送風ファン１４Ａの動作状態や風向変更部１８Ａの動作状態が足側送風装置１０の無線連携部１５Ｂへと伝えられている。無線連携部１５Ｂは取得した情報を元に送風ファン１４Ｂや風向変更部１８Ｂの動作を変化させる構成となっており、結果として操作部１９の操作で頭側送風装置９と足側送風装置１０の両方が操作される。
【００５９】
図４は、本発明の実施の形態２における設定変更時の空気清浄機の側断面図を示すものである。
【００６０】
図４において、頭側吹き出し部１６からは清浄化気流２２が吹き出されている。清浄化気流２２はベッド８の頭側から足側に向けてベッド８の上面及び就寝者１１の上を沿って流れる。清浄化気流２２はベッド８の上面にぶつかってからベッド８の上面に沿って流れた後、自然とベッド８の上面の足側に近い空間へと流れ足側吸い込み部２１へと吸引される。
【００６１】
またこの時、送風ファン部１３Ａの風量は増やされ、逆に送風ファン部１３Ｂの風量は減らされており、送風ファン部１３Ａの風量の方が送風ファン部１３Ｂの風量よりも大きくなっている。清浄化気流２２の一部は足側吸い込み部２１に吸引され一部はベッド８の周囲へと流れる。
【００６２】
以上のように構成された空気清浄機について、以下その動作、作用を説明する。
【００６３】
まず就寝者１１や第三者によって操作部１９が操作されると空気清浄機が起動する。ベッド８上の汚染物質１２の状態やベッド８の周囲の状況に合わせた清浄化気流２２を形成するように空気清浄機は操作される。
【００６４】
例えば就寝者１１が病人でベッド８の周囲に見舞いの人間や看護師など第三者がいる場合では、ベッド８の周囲に汚染物質１２を吹き飛ばさないことを重視し、清浄化気流２２と清浄化気流２２が巻き込む空気を足側送風装置１０で吸引することを考え、送風ファン１３Ａの風量よりも送風ファン１３Ｂの風量をあげる設定とされる。また例えば就寝者１１が体力の衰えた人物や免疫の弱い人物などの場合では、ベッド８上を常に清浄化しておくことをより重視し、送風ファン１３Ｂの風量よりも送風ファン１３Ａの風量をあげる設定とされる。
【００６５】
これら操作部１９での操作に基づいてまず頭側送風装置９が起動する。送風ファン部１３Ａと風向変更部１８Ａが動作し、操作部１９によって設定された清浄化気流２２を形成するよう送風ファン１３Ａ及び風向変更部１８Ａの動作が変更される。
【００６６】
続いて、無線連携部１５Ａから足側送風装置１０の無線連携部１５Ｂへと送風ファン部１３Ａと風向変更部１８Ａの動作状態が伝えられる。無線連携部１５Ｂは入手した送風フ
ァン部１３Ａと風向変更部１８Ａの動作状態に基づいて送風ファン部１３Ｂと風向変更部１８Ｂの動作状態を変更させる。
【００６７】
頭側送風装置９では送風ファン部１３Ａが動作したことにより、頭側吸い込み部１７から頭側送風装置９の内部へと空気が吸引され、フィルタ部１４Ａで清浄化された後に頭側吹き出し部１６から清浄化気流２２として吹き出される。清浄化気流２２は操作部１９への操作に基づいて設定された、送風ファン部１３Ａと送風ファン部１３Ｂ及び風向変更部１８Ａと風向変更部１８Ｂにより流れが形成される。
【００６８】
清浄化気流２２が就寝者１１に到達することで、就寝者１１は清浄化気流２２によって届けられた清浄な空気を吸引するため快適であると同時に汚染物質１２に害される危険がない。また同時に清浄化気流２２は汚染物質１２を流れに乗せて足側吸い込み部２１へと搬送していく。清浄化気流２２はベッド８の上を頭側から足側まで流れるため、ベッド８上の空間全体に存在する汚染物質１２が清浄化気流２２によって除去される。
【００６９】
足側吸い込み部２１に到達した清浄化気流２２と汚染物資１２は送風ファン部１３Ａと送風ファン１３Ｂの流す風量のバランスによってその挙動を変える。
【００７０】
送風ファン部１３Ｂの流量のほうが大きく、清浄化気流２２と清浄化気流２２が巻き込む空気の両方が足側吸い込み部２１に吸引される場合、汚染物質１２のほとんどは足側吸い込み部２１に吸引される。周囲へと汚染物質１２が吹き飛ばされることはない。
【００７１】
一方、送風ファン部１３Ａの流量のほうが大きい場合、清浄化気流２２の一部は足側吸い込み部２１に吸引されない。清浄化気流２２は下流へと流れていく過程で徐々に広がり、最終的に足側吸い込み部１７の付近で足側吸い込み部１７の大きさにあわせて狭められるため、汚染物質１２の一部は慣性によって清浄化気流２２から外れベッド８上に残ったり足側吸い込み部１７の枠などに付着したりする可能性があるが、清浄化気流２２のうち足側吸い込み部２１に吸引されない流れによってベッド８の周囲へと吹き飛ばされベッド８上は清浄化される。
【００７２】
足側吸い込み部２１から足側送風装置１０の内部へと吸引された清浄化気流２２はフィルタ部１４Ｂで汚染物質１２を除去された後、足側吹き出し部２０から排気風２４として吹き出される。
【００７３】
上記した実施の形態における構成は、必要に応じて適宜組み合わせて使用することができるものであり、実施の形態そのものの構成に限られるものではない。
【産業上の利用可能性】
【００７４】
以上のように、本発明にかかる空気清浄機は気流によって局所的な空間を清浄化する装置に適用できる。
【符号の説明】
【００７５】
８  ベッド部
９  頭側送風装置
１０  足側送風装置
１３  送風ファン
１４  フィルタ部
１５  無線連携部
１６  頭側吹き出し部
１７  頭側吸い込み部
１８  風向変更部
２０  足側吹き出し部
２１  頭側吸い込み部
２２  清浄化気流
２３  下流域
２４  排気風
【図１】
2011226655.tif 000003
【図２】
2011226655.tif 000004
【図３】
2011226655.tif 000005
【図４】
2011226655.tif 000006
【図５】
2011226655.tif 000007